(57)【特許請求の範囲】
【請求項１】
記録媒体に記録された映像情報の再生速度を変化させる第１再生機能と前記映像情報の再生位置を順次変える第２再生機能とを備える再生手段と、
前記再生手段の動作を制御する制御手段とを有する映像情報再生装置であって、
前記制御手段に接続され、回転操作により前記再生手段の前記第１再生機能及び前記第２再生機能の操作ができ、かつ回転軸方向への押し操作により前記第１再生機能及び前記第２再生機能のうちのいずれか一方の機能を順次選定できる回転つまみ部と、
前記制御手段の指令により、前記第１再生機能及び前記第２再生機能のどちらに選定しているかに応じて発光状態を変化させる発光手段と、
前記回転つまみの外周に固定され、前記発光手段による発光を透光するリングとを備え、前記記録媒体の早送り、巻き戻しに従い前記記録媒体の始終端に近づくほど発光させる映像情報再生装置。
【請求項２】
制御手段に入力し、前記第１、第２再生機能による発光手段の発光状態を設定変更できる操作切替え手段を備えることを特徴とする請求項１記載の映像情報再生装置。
【発明の詳細な説明】
【０００１】
【発明の属する技術分野】
本発明は、放送局、制作プロダクション等で使用される業務用ビデオテープ再生機のような映像情報再生装置に関する。
【０００２】
【従来の技術】
近年、放送局、制作プロダクション等では、ＢＳ，ＣＳ、地上波のデジタル放送によるチャンネル数増大により、映像コンテンツの制作が非常に多くなりつつある。そのため、映像コンテンツ制作にかかせない映像編集の効率アップが急務で、そのための映像機器の操作効率性が非常に注目されている。
【０００３】
以下に従来の映像情報再生装置について説明する。
【０００４】
従来、ビデオテープ再生機では、周知のようにジョグ・シャトル機能といわれるテープ再生走行の機能がある。これは回転つまみの動作モードを２通りにし、１つの動作モードは、回転つまみの回動操作に応じて再生画像がコマ送りで送られるものである（ジョグ機能という）。これは、回転つまみに回転エンコーダが構成され、回転つまみの回動角度（例えば１０度）で回転エンコーダから単位パルスが発生し、その単位パルスで画像が１フレーム動いてコマ送りする（右回転方向で正再生方向、左回転方向で逆再生方向）というもので、回転つまみをまわす角度が大きいほどあるいは回転つまみを何回転するかによって多くのフレームが移動される。
【０００５】
もう一つの動作モードは、中点復帰型の回転つまみをひねり、そのひねり動作の中点からのひねり角度の大きさに応じて再生スピードを変化させるというものである（シャトル機能）。すなわち、回転つまみに中点復帰型の跳ね返りボリュームまたは跳ね返りエンコーダが構成され、例えば、中点から左右約３０度まではスロー再生速度（定常速度より遅い再生で、右回転で通常再生方向。左回転で逆再生方向。以下、左右回転方向による再生方向正逆の説明は同じ）、左右約３０度で通常再生速度、左右約３０度以上９０度までは徐々に再生速度が早くなり、回し切る左右９０度で早送り（あるいは早戻し）再生で、通常の再生速度の２０倍速になるというようなものである。
【０００６】
使用者の操作性を高める目的により、このジョグ機能とシャトル機能を一つの回転つまみによって実現させるため、通常は回転つまみの回転軸方向への押し操作で、回転つまみの回転操作力をジョグ機能用の回転エンコーダに伝達するか、あるいはシャトル機能用の中点復帰型の素子（ボリュームあるいはエンコーダ）に伝達するかを交互に切替え、動作モードが切り替わるようにしている。
【０００７】
【発明が解決しようとする課題】
しかしながら上記の従来の構成では、一つの回転つまみでジョグ、シャトルの両機能を実現しているため、今どちらの機能になっているのかわかりにくい。そのため、早送りさせようとしてシャトル機能のつもりで回転つまみを操作すると、実際はジョグ機能だったため、コマ送りし、編集効率が上がらなかったり、逆に、フレーム単位の画像を選定し編集するためコマ送りさせようとしてジョグ機能のつもりで回転つまみを操作すると、実際はシャトル機能だったため、大きくテープが走行し時間的に映像が大きく動いてしまうという問題点を有していた。
【０００８】
本発明は上記従来の問題点を解決するもので、回転つまみが今どちらのモードになっているのかを報知する映像情報再生装置を提供することを目的とする。
【０００９】
【課題を解決するための手段】
この目的を達成するために本発明の映像情報再生装置は、記録媒体に記録された映像情報の再生速度を変化させる第１再生機能と前記映像情報の再生位置を順次変える第２再生機能とを備える再生手段と、再生手段の動作を制御する制御手段とを有する映像情報再生装置であって、制御手段に接続され、回転操作により再生手段の第１再生機能及び第２再生機能の操作ができ、かつ回転軸方向への押し操作により第１再生機能及び第２再生機能のうちのいずれか一方の機能を順次選定できる回転つまみ部と、制御手段の指令により、第１再生機能及び第２再生機能のどちらに選定しているかに応じて発光状態を変化させる発光手段と、回転つまみの外周に固定され、前記発光手段による発光を透光するリングとを備え、前記記録媒体の早送り、巻き戻しに従い前記記録媒体の始終端に近づくほど発光させる構成としたものである。
【００１０】
また、特に制御手段に入力し、前記第１、第２再生機能による発光手段の発光状態を設定変更できる操作切替え手段を備えるものである。
【００１１】
この構成によって、制御手段が認知している第１、第２再生機能毎に発光手段が異なる発光を行い、使用者が回転操作する回転つまみの近傍にあるリングを通してその発光を確認できるので、第１、第２再生機能の確認が容易かつ確実にできる。
【００１２】
【発明の実施の形態】
以下、本発明の実施の形態について、図面を用いて説明する。
【００１３】
（実施の形態１）
図１は本発明の映像情報再生装置の斜視図であり、図１において、１は回転つまみで、従来の技術で述べたように使用者がこの回転つまみを操作することで、ジョグ、シャトル再生ができる。２はリングで、透光性を備えて回転つまみの外周に構成され、後述するようにその後部に構成された発光部３の発光色を透光させあたかもリング２が発光しているように見せる。７は映像情報再生装置の機器の状態を表示する表示部で、周知のように、機器の動作モード（停止（ｓｔｏｐ）、再生（ｐｌａｙ）、等）再生時のカウンタやタイムコード、音声再生レベル等を表示する。８は操作スイッチ群で、周知のような再生押しボタン、停止押しボタン等である。９は記録媒体挿入口で、ここから記録媒体を装置内に入れ、再生させる。
【００１４】
図２は本発明の構成ブロック図である。図２において、４は回転素子部で、４ａは軸方向スイッチで、回転つまみ１の回転軸方向への押し操作を検知して、その信号を制御部５に送る。４ｂは回転エンコーダ、４ｃは中点復帰型はねかえり素子で、それらの信号も制御部５に入力される。制御部５は軸方向スイッチ４ａからの信号をラッチしてそれによって動作モードをジョグモードとシャトルモードとを切替える。また、制御部５は，そのモードに応じて、前述した発光部３を発光させたりあるいはその発光色を変更するよう発光部３を制御する。発光部３は、リング全周あるいは一部にわたって発光ダイオードやランプ、ＥＬ（エレクトロルミネセンス）等の発光素子を配置して、その発光を透光性のあるリング２を通して発光させる。また、軸方向スイッチ４ａのモード設定によって、回転素子部４の回転エンコーダ４ｂ、中点復帰型はねかえり素子４ｃの出力に応じ、記録媒体再生部６に制御信号を送り記録媒体再生部６に内包した記録媒体（図示せず）のテープ走行を制御する。
【００１５】
以上のように構成された映像情報再生装置について、図１、図２を用いてその動作を説明する。まず、周知のように、使用者は編集の基となる素材（コンテンツ）が記録された記録媒体であるテープ（図示せず）を記録媒体挿入口９より入れ、記録媒体再生部６にセットする。次に操作スイッチ群８を操作し、再生映像をこれから編集開始する映像位置の少し前まで送る。この場合、映像を確認しながら早送りあるいはは巻き戻しを行うので、通常は前述したシャトル機能による再生を行う。このように編集開始点の少し前まで送った後、編集開始点を特定させるため、次に使用者はジョグ機能にすべく動作モードを切替える。ジョグ機能の場合、再生がフレーム単位にコマ送りされるので編集開始点を容易に特定できる。
【００１６】
これらの操作で、ジョグ、シャトル機能を操作するための回転つまみの直近にあるリングがその動作機能に応じて発光が変わる。すなわち、ジョグの場合、赤く点灯し、シャトルの場合、点灯しないように設定されておれば、非常に容易に動作機能が確認できる。
【００１７】
なお、上述の様に一方の動作モードのときに発光し、もう一方の動作モードの時には発光しないようにすると、発光素子の故障等で発光できない場合と混同される恐れもある。よって、動作モードに応じて２色に（例えば、黄色と緑とに）発光するよう異なる色に発光させるほうが良い。この場合、補色の関係に近い発光の場合（例えば赤と緑）のほうが視認性上良いことはいうまでもない。
【００１８】
また、前述した実施の形態１では、回転つまみの近傍にあるリングが発光して、ジョグシャトルのモードがわかるものであったが、実際の編集動作では、編集する使用者（コマーシャル制作や、番組制作等でジョグ、シャトルの使用頻度が異なる）によって、リングが点灯しているときにジョグの設定にしているほうが良い場合と、逆にシャトルにしているほうが良い場合とがある。また、注意を喚起する色として赤色をジョグ動作時に設定し、他の色をシャトル動作時に設定する場合、あるいはその逆の場合、というように使用者の好み、あるいは同一使用者でも制作、編集の違いにより自由に変えたい場合がある。
【００１９】
この場合でも、予め、使用者が操作スイッチ群８により制御部５に設定登録しておけばよい。
【００２０】
なお、発光部３はジョグ・シャトル機能時のみの発光動作でなくとも良く、例えば、テープの露付等の警告アラーム用に赤く点滅させても良いし、また、テープ等の記録媒体が挿入されていない場合緑に点灯させたり、テープの早送り、巻き戻し走行に従いテープの始終端（巻き始め・巻き終わり）に近づくほど発光させるということも制御部５の指令で行わせることができる。これにより、リングが全体にわたり発光するので、使用者への告知がより確実になる。
【００２１】
また、以上の説明では、映像情報の再生を行う映像情報再生装置で説明したが、少なくとも再生ができるものであればよく、もちろん映像情報の記録もできる映像情報記録再生装置でも同様であることはいうまでもない。また、記録再生媒体としてビデオテープの場合を説明したが、同様な構成は映像情報を再生する光ディスク（ＤＶＤ−ＶＩＤＥＯ等）、ハードディスク、半導体メモリ（ＳＤメモリカード等）でも可能である。
【００２２】
【発明の効果】
以上のように本発明は、使用者がジョグ、シャトル動作機能を操作している回転つまみの直近にあるリングをジョグ、シャトル動作に応じて発光の仕方を変えることで、使用者が今動作機能が何なのか確実に確認でき、操作の誤りが少なくなり映像編集の効率アップが期待できる。
【図面の簡単な説明】
【図１】本発明の映像情報再生装置の実施の形態１における斜視図
【図２】同、構成模式図
【符号の説明】
１  回転つまみ
２  リング
３  発光部
４  回転素子部
４ａ  軸方向スイッチ
４ｂ  回転エンコーダ
４ｃ  中点復帰型はねかえり素子
５  制御部
６  記録媒体再生部
７  表示部
８  操作スイッチ群
９  記録媒体挿入口
【図１】
0003614146.tif 000002
【図２】
0003614146.tif 000003